(57)【要約】      （修正有）【課題】洗濯をしたとき衣類を脱水機にかけて脱水をし、乾燥してから、アイロンがけをしていたが、洗濯物を脱水機にかけたり、手で強く絞るため、洗濯したものには脱水じわができていた。そこで、洗濯した物を干しながら重力により引っ張り、乾燥時には、しわができることを防止できる干し物の引張具。【解決手段】一片の内面が磁気吸着する裏面側の固定片２ｃと該マグネットしわ伸ばし具１本体にある折り曲げ部３ともう一片の内面が磁気吸着する裏面側の固定片２ｄとで構成するマグネットしわ伸ばし具１としたことで、マグネットの磁力により、取り付けが容易となり、シャツ等の裾部全体に重力が均一に掛かり、しわ伸ばし効果がよく表れる。【選択図】図１
2011036316.tif 000002
【特許請求の範囲】
【請求項１】
一片の内面が磁気吸着する裏面側の固定片と該マグネットしわ伸ばし具本体にある折り曲げ部ともう一片の内面が磁気吸着する裏面側の固定片とで構成する磁気吸着により開閉自在としたマグネットしわ伸ばし具。
【請求項２】
マグネットしわ伸ばし具本体は、外面に装飾層を積層貼着した一体物で成り、該マグネットしわ伸ばし具の内面中央部に折り曲げ部が形成されていることを特徴とする請求項１に記載のマグネットしわ伸ばし具。
【請求項３】
マグネットしわ伸ばし具本体の開閉自在となる固定片が、開閉がしやすいよう持ち手をマグネットしわ伸ばし具本体に貼着することにより機能させることを特徴とする請求項１〜２に記載のマグネットしわ伸ばし具。
【請求項４】
マグネットしわ伸ばし具固定片に押付手段と対向位置に配置される裏側固定片に、一方に設けた凹凸のある係止部を互いに圧接させる部位を有することを特徴とする請求項１〜２に記載のマグネットしわ伸ばし具。
【発明の詳細な説明】
【技術分野】
【０００１】
本発明は、マグネットによる衣類のしわ伸ばしに関するものである。
【背景技術】
【０００２】
衣類仕上げ装置として従来はアイロンが使用されている。
【０００３】
綿などの乾いた衣類の繊維は分子レベルでは水素結合によって固定されおり、繊維同士が自由に動かず、従ってしわも取れにくいものである。しかし衣類に水分を供給することによって、衣類は吸湿し、この水素結合が解けて繊維同士の移動が自由となる。アイロン掛けでは、ミストやスチームで衣類の繊維に湿気を供給してしわが取れやすい状態をつくり、この状態で衣類を引っ張りながら押さえつけて、衣類のしわをとっている。このとき、同時に衣類の形を整え、この整形された状態を保つために、高温で湿気をとばして乾燥させる作業を行っている。特に、綿や麻などのセルロース素材の繊維やウールなどは水分やスチームによるしわ伸ばし効果が大きい。
【０００４】
アイロン掛けによる衣類の仕上げは優れているものの、反面、アイロンの掛け面が高温で熱い、あるいは立体的な面の仕上げが難しいというような欠点を備えているものである。この欠点は、一般使用者がアイロン掛け作業を敬遠する要因となっている。従来における洗濯後のアイロン掛けは、労力と時間を要した手間が掛かったため、洗濯者の脱水後の衣類の干し方を変え、出来るだけ衣類にしわのない状態で仕上げることが切望されている。
【先行技術文献】
【特許文献】
【０００５】
【特許文献１】特開２００２−３５４８７号公報
【特許文献２】特開２００３−１９９９９４号公報
【特許文献３】特開２００２−３５４９３号公報
【特許文献４】特開２００６−８７７８７号公報
【特許文献５】特開２００７−２９７７５１号公報
【０００６】
特許文献1は、洗濯した衣類等の下に重しを付けた、洗濯バサミをはさんで使用する、重し付洗濯バサミである。重し付洗濯バサミは、引っ張りの具合にムラがあり、均一な仕上がりとならない。さらに、数箇所の取り付けが必要であるため、取り付けに手間が掛かる欠点がある。
【０００７】
これを解消するための技術として、洗濯後、干された衣類等の下下方に洗濯物を挟む重しを付けた洗濯バサミの使用では問題であった。
【０００８】
特許文献２は、衣類を被着させる人体形状の全体あるいは部分を形どった通気性を備える袋と、送風する送風手段を備え、袋の膨らみによる衣類のしわ伸ばし効果を向上させるもので、しわを伸ばした状態で洗濯・脱水後の濡れた衣類またはミストやスチームで吸湿した衣類を乾燥することで、手軽に衣類のしわ伸ばしができる衣類仕上げ装置としているものである。
【０００９】
特許文献３は、形状を胴体型に立体にしてシャツ類をかけるようにしたハンガーである。
【００１０】
特許文献４は、衣類の肩の部分および袖の部分を支持する支持アーム部が、断面形状で上方が先鋭となるエッジ状に形成されていることを特徴とするハンガーである。
【００１１】
特許文献２、特許文献３、特許文献４は、装着に手間が掛かる上、スペースを多く取られるため、他の洗濯物を干すのに邪魔となる。
【００１２】
特許文献５は、洗濯・脱水後の繊維製品を乾燥したときに生じるしわを効果的に除去することができる残香性を付与することができるしわ除去剤組成物を衣類に散布するものである。
【００１３】
しわ除去剤組成物を衣類に散布する方法では、しわ除去剤はの消耗品であるための経済的負担が掛かる上、費用を掛けた割に、繊維の種類によっては、アイロン掛けほどの効果がないものがあったので、しわ除去剤組成物の散布によるしわ伸ばしとは違う方法、つまり、衣類を干す間に自然の重力を利用して、継続して使用できるしわ伸ばし具の提供が必要である。
【００１４】
従来における洗濯後のアイロン掛けは、労力と時間を要した手間が掛かったため、洗濯物の脱水後の衣類の干し方を変え、出来るだけ衣類にしわのない状態で仕上げることが切望されている。
【００１５】
衣類裾部を均等に引っ張ることにより、引っ張り具合のムラをなくし、均一な仕上がりを得たい。さらに、数箇所の取り付けが必要であったが、取り付けに手間を少なくする工夫と取り付けの簡便さを提供したい。
【００１６】
これら従来の技術欠点であったところの、装着に手間が掛かる上、スペースを多く取られるため、他の洗濯物を干すのに邪魔となるなどを解消して、干す作業の手間を省き、さらに、少ないスペースで干せるようにするべきである。
【発明の概要】
【発明が解決しようとする課題】
【００１７】
発明が解決しようとする課題は次の通りである。
【００１８】
（１）洗濯が乾いた後から衣類にアイロンを当て、しわを伸ばす手間を省き、しわをつけない状態で洗濯物を取り込むことができるしわ伸ばし具を提供したい。
（２）仕上がりの状態は、アイロンをかけた状態に近い、洗濯じわのムラのない状態にしたい。
（３）洗濯物にしわ伸ばし具を取り付けの際は、装着が簡単で手間が掛からないものが望まれる。
（４）できるだけ少スペースで干せるしわ伸ばし具が望まれる。
（５）しわ除去剤組成物を衣類に散布するには、費用が掛かる上、容器がゴミとなるので、使い捨てとならない、出来るだけ長く使えるしわ伸ばし具があるとよい。
【００１９】
以上の５点を解決できるものとして、洗濯物に取り付けるマグネットしわ伸ばし具を提供するものである。
【課題を解決するための手段】
【００２０】
本発明は課題を解決するために、一片の内面が磁気吸着する裏面側の固定片と該マグネットしわ伸ばし具本体にある折り曲げ部ともう一片の内面が磁気吸着する裏面側の固定片とで構成する磁気吸着により開閉自在としたマグネットしわ伸ばし具の構成とした。
【００２１】
マグネットしわ伸ばし具本体は、外面に装飾層を積層貼着した一体物で成り、該マグネットしわ伸ばし具の内面中央部に折り曲げ部が形成されていることを特徴としたマグネットしわ伸ばし具とした。
【００２２】
マグネットしわ伸ばし具本体の開閉自在となる固定片が、開閉がしやすいよう持ち手をマグネットしわ伸ばし具本体に貼着することにより機能させることを特徴としたマグネットしわ伸ばし具とした。
【００２３】
マグネットしわ伸ばし具固定片に押付手段と対向位置に配置される裏側固定片に、一方に設けた凹凸のある係止部を互いに圧接させる部位を有することを特徴としたマグネットしわ伸ばし具とした。
【発明の効果】
【００２４】
一片の内面が磁気吸着する裏面側の固定片と該マグネットしわ伸ばし具本体にある折り曲げ部ともう一片の内面が磁気吸着する裏面側の固定片とで構成するマグネットしわ伸ばし具としたことで、マグネットの磁力により、取り付けが容易となり、シャツ等の裾部全体に重力が均一に掛かり、しわ伸ばし効果がよく表れるものとなった。
【図面の簡単な説明】
【００２５】
【図１】本発明の実施例１を示したものであり、（ａ）は本発明の斜視図、（ｂ）は本発明の使用状態の斜視図（ｃ）は本発明の断面図である。
【図２】本発明の実施例１に示したマグネットしわ伸ばし具本体の部分拡大図を示したものであり、（ａ）は斜視図、（ｂ）は部分拡大斜視図である。
【図３】本発明の実施例１に示したマグネットしわ伸ばし具本体の使用状態を示すものであり、（ａ）は使用状態部分斜視図、（ｂ）は使用状態説明断面図である。
【図４】本発明の実施例１に示したマグネットしわ伸ばし具本体の使用状態を示すものであり、（ａ）は使用状態斜視図、（ｂ）は使用状態の背面図である。
【図５】本発明の実施例２を表し、（ａ）は斜視図、（ｂ）は断面図である。
【図６】本発明の実施例３を表し、（ａ）は斜視図、（ｂ）は断面図である。
【図７】本発明の実施例４を表し、（ａ）は斜視図、（ｂ）は断面図である。
【図８】本発明の実施例５を表し、（ａ）は説明斜視図、（ｂ）は断面図である。
【発明を実施するための形態】
【００２６】
本発明のマグネットしわ伸ばし具は、磁気吸着により閉鎖し、この閉鎖状態において、ワイシャツ等の衣類を挟み込むことができる。また、該マグネットしわ伸ばし具は、磁気吸着から引っ張り、開く一対の固定片からなる干し物の引張具であり、以下、実施例に沿って詳細に説明する。
【実施例１】
【００２７】
図１〜図４は、本発明の実施例１を表したものであり、図１（ａ）・（ｂ）は、マグネットしわ伸ばし具の説明用斜視図、図１（ｃ）は、断面図、図２（ａ）は、マグネットしわ伸ばし具本体説明用斜視図、図２（ｂ）は部分拡大斜視図、図３（ａ）は使用状態部分斜視図、図３（ｂ）は使用状態説明断面図、図４（ａ）は使用状態斜視図、図４（ｂ）は使用状態の背面図を示したものである。
【００２８】
図１は、本発明の実施例１を表したものであり、図１（ａ）は本発明の斜視図、図１（ｂ）は本発明の使用状態の斜視図、図１（ｃ）は本発明の断面図を示すように、マグネットしわ伸ばし具本体と折り曲げ部３と一対の固定片２ａ、２ｂとで構成される。
マグネットしわ伸ばし具本体は、図２（ａ）は斜視図、図２（ｂ）は部分拡大斜視図を示すように、マグネットシート４の外面４ａ側に塗飾層５が積層粘着された構成となっている。
【００２９】
マグネットしわ伸ばし具本体１は、図１で示すように該マグネットしわ伸ばし具本体の中央部分で折り曲げ部３が設けられており、裏面側の固定片２cと裏面側の固定片2ｄを衣類の裾部を挟み込み、磁気吸着するものである。
【００３０】
マグネットシート１は、フェライト系、マンガン・アルミニウム系、サマリウム・コバルト系、ネオジウム・鉄・ホウ素系、サマリウム・鉄・窒素系等の硬質磁性材料からなる磁石材料微粉末を有機高分子エラストマーに練り込み着磁された樹脂製磁石等適宜の樹脂製磁石が用いられる。
【００３１】
なお、本実施例においては、図１（ａ）に示すように、裏面側の固定片2ｃと裏面側の固定片2ｄとに対向面が異なる磁極となるようにＮ極とＳ極が縞状に多極着磁されており、裏面側の固定片2ｃと裏面側の固定片2ｄの内面を重ね合わせると、異極同士で強く磁気吸着されることになる。
【００３２】
また、使用する磁石の種類や着磁方法も適宜に選択し実施することができる。
【００３３】
図２（ｂ）に示す装飾層５は、紙或は薄いプラスチックシートが用いられ、文字やイラスト等の装飾がなされている。勿論使用者が後で加筆しやすいように、白色或いは単色のみとしてもよい。
【００３４】
次に、実施例１のマグネットしわ伸ばし具の使用方法について説明する。
衣類を洗濯し、脱水をしたワイシャツなどのアイロンがけの必要な衣類の裾部分に図３（ｂ）の断面図に示すように、ワイシャツ６の裾部分にマグネットしわ伸ばし具１の折り曲げ部３を持ち、挟み込み、裏側固定片2ｃと裏側固定片2ｄを合わ磁着させる。
【００３５】
図３（ａ）及び図４（ａ）・（ｂ）は、マグネットしわ伸ばし具を衣類の裾部に取り付けた状態を示したものである。マグネットしわ伸ばし具の取り付けは、ワイシャツの前身頃の裾に２箇所、後ろ身頃の裾に１箇所に取り付ける。このようにして、マグネットしわ伸ばし具を取り付けたことにより、衣類が乾く間に、マグネットしわ伸ばし具本体自体が重しとなり、衣類を干している間に衣類のしわが伸びる状態となる。
【００３６】
なお、取り付け枚数を増やすことにより、袖部分においても取り付けることが可能である。また、ワイシャツに限らず、ブラウスなども同じ方法での取り付けができる。
【実施例２】
【００３７】
図５（ａ）・（ｂ）は、本発明の実施例２を表したものであり、基本的には実施例１の構成と同様になるので、異なる構成についてのみ説明し、共通の内容については説明を割愛する。
【００３８】
実施例２においては、図５（ａ）・（ｂ）で示すように、マグネットしわ伸ばし具１が持ちやすいよう、クリップ状の持ち手をマグネットしわ伸ばし具１の折り曲げ部３辺りに取り付けたものである。
【実施例３】
【００３９】
図６（ａ）・（ｂ）は、本発明の実施例３を表したものであり、基本的には実施例１の構成と同様になるので、異なる構成についてのみ説明し、共通の内容については説明を割愛する。
【００４０】
実施例３においては、図６（ａ）・（ｂ）で示すように、マグネットしわ伸ばし具１が持ちやすいよう、持ち手をマグネットしわ伸ばし具１の表側固定片２aと表側固定片２ｂに取り付けたものである。
【実施例４】
【００４１】
図７（ａ）・（ｂ）は、本発明の実施例３を表したものであり、基本的には実施例１の構成と同様になるので、異なる構成についてのみ説明し、共通の内容については説明を割愛する。
【００４２】
実施例４においては、図７（ａ）・（ｂ）で示すように、マグネットしわ伸ばし具１の取り付け部分を明確にするための表示9 ａ、９ｂを施したものである。
【実施例５】
【００４３】
図８（ａ）・（ｂ）は、本発明の実施例５を表したものであり、基本的には実施例１の構成と同様になるので、異なる構成についてのみ説明し、共通の内容については説明を割愛する。
【００４４】
実施例５においては、図８（ａ）・（ｂ）で示すように、マグネットしわ伸ばし具１が強固にしっかりとマグネットしわ伸ばし具１を保持できるよう、マグネットしわ伸ばし具１の裏側固定片2ｃに押付手段15と対向位置に配置される裏側固定片2ｄに、一方に設けた凹凸のある係止部１４とを互いに圧接させる部位を有するように取り付けたものである。
【符号の説明】
【００４５】
１、マグネットしわ伸ばし具
２、固定片
２a    表側固定片
２ｃ    裏側固定片
２ｂ    表側固定片
２ｄ    裏側固定片
３、折り曲げ部
４、マグネットシート
４a  外面
４ｂ  内面
５、装飾層
６、ワイシャツ
７、持ち手A
８、持ち手B
９、表示
９a  表側
９ｂ  裏側
１４、凹凸のある係止部
１５、押付手段
【図１】
2011036316.tif 000003
【図２】
2011036316.tif 000004
【図３】
2011036316.tif 000005
【図４】
2011036316.tif 000006
【図５】
2011036316.tif 000007
【図６】
2011036316.tif 000008
【図７】
2011036316.tif 000009
【図８】
2011036316.tif 000010